(57)【要約】【課題】遊技機の張出部に、裏側からの部品取付作業を容易且つ確実に行なうことができるようにする。【解決手段】遊技機に、２枚のガラス板を所定の間隔を隔てて装着するガラス枠において、装着時にガラス板の下端部を支持する受部材２８Ａ、２８Ｂを、両側端部近傍にそれぞれ対応する１５ｍｍ程度に制限すると共に、奥側に装着されるガラス板Ｇｂの両側端部を狭持する溝部２６Ａ、２６Ｂを、上端部近傍と下端部近傍にそれぞれ対応する１５ｍｍ程度に制限した。【選択図】図３
2005261755.tif 000002
【特許請求の範囲】
【請求項１】
遊技機に、２枚のガラス板を所定の間隔を隔てて装着するガラス枠において、
装着時にガラス板の下端部を支持する受部材を、ガラス板の両側端部近傍にそれぞれ対応する所定長さに制限したことを特徴とする遊技機のガラス枠。
【請求項２】
奥側に装着されるガラス板の両側端部を狭持する溝部を、上端部近傍と下端部近傍にそれぞれ対応する所定長さに制限したことを特徴とする請求項１に記載の遊技機のガラス枠。
【発明の詳細な説明】
【技術分野】
【０００１】
本発明は、遊技機のガラス枠、特にパチンコやジャン球等の遊技機にガラス板を２重に装着するための遊技機のガラス枠に関する。
【背景技術】
【０００２】
図６（Ａ）、（Ｂ）、（Ｃ）は、いわゆるジャン球と呼ばれる遊技機の正面図、側面図、背面図である。
【０００３】
この遊技機１００は、遊技者側に遊技板が見える範囲の開口部１０２と、その周囲を飾るデコレーション部１０４とを有している。又、この開口部１０２の下には、遊技者側に突出した張出部１０６が設けられ、該張出部１０６の所定位置には遊技内容等を表示する液晶ユニット１０８や、遊技を行なう際に使用する操作ボタンユニット１１０等の部品が配設されている。
【０００４】
又、この遊技機１００は、その裏側にガラス枠１１２が配設され、該ガラス枠１１２の遊技者側には前ガラスＧａが、遊技板（図示せず）に近接する奥側には後ガラスＧｂがそれぞれ装着されており、このような二重ガラス構造にすることによって防犯対策がとられている。
【０００５】
従来、このような遊技機では、ガラス板として規格サイズ（４０５×４０５×３）からなる矩形の既成ガラス板が使用され、図７にガラス枠本体の背面部に取り付けられているガラス枠１１２を拡大して示すように、各ガラス板（図示せず）は両側端部を上下方向に延びる溝部１１４に上方より挿入すると共に、下端部を左右方向に延びる連続した受部材１１６に載置して支持することにより、所定位置に装着されるようになっている。
【０００６】
ゲーム機の中には、ガラス板と樹脂製のガラス枠とを一体成型し、ガラス枠本体（樹脂の大型部品）にフック等で固定する特注ガラス板もあるが、通常の既成ガラス板の場合は、上記のようにガラス下端部（下面）のほぼ全面を受部材１１６で支持する構造になっている（例えば、特許文献１参照）。
【０００７】
その結果、既成ガラス板を前記図６に示した張出部１０６を有する遊技機１００に装着する場合、その装着位置が図中ガラス範囲で示す位置になり、上記受部材１１６が該張出部１０６の裏側に位置することになる。
【０００８】
【特許文献１】特開２００１−１７６３１号公報
【発明の開示】
【発明が解決しようとする課題】
【０００９】
しかしながら、通常、前記張出部１０６の所定位置に前記液晶ユニット１０８や操作ボタンユニット１１０が配設されたデザインに対応する場合、これらユニット等の部品の取付作業は、受部材１１２にガラス板を装着する前に該張出部１０６の裏側から行なわれるので、張出部１０６の裏側に位置し、ガラス枠を構成する前記受部材１１６が邪魔になり、受部材１１６を迂回してユニット等の部品を取り付けなければならず、該作業が困難であるという問題があった。
【００１０】
本発明は、前記従来の問題点を解決するべくなされたもので、遊技機の張出部に、裏側から部品を取り付ける作業を容易且つ確実に行なうことができる遊技機のガラス枠を提供することを課題とする。
【課題を解決するための手段】
【００１１】
本発明は、遊技機に、２枚のガラス板を所定の間隔を隔てて装着するガラス枠において、装着時にガラス板の下端部を支持する受部材を、両側端部近傍にそれぞれ対応する所定長さに制限したことにより、前記課題を解決したものである。
【００１２】
本発明は、又、上記ガラス枠において、奥側に装着されるガラス板の両側端部を狭持する溝部を、上端部近傍と下端部近傍にそれぞれ対応する所定長さに制限したことにより、ガラス枠に対するガラス板の両側端部の装着作業をも容易に行なうことができるようにしたものである。
【発明の効果】
【００１３】
本発明によれば、遊技機下部に設けられている張出部に、裏側から部品を取り付ける作業を容易且つ確実に行なうことができるようになる。
【発明を実施するための最良の形態】
【００１４】
以下、図面を参照して、本発明の実施の形態について詳細に説明する。
【００１５】
図１は、本発明に係る一実施形態のガラス枠１０を示す正面図である。図２は、遊技者側に位置する前ガラスＧａと、奥側の遊技板側に位置する後ガラスＧｂとが装着された状態の上記ガラス枠１０を上方から見た平面図、図３はその左側端部全体を示す部分斜視図、図４はその上端部近傍を拡大して示す部分斜視図である。
【００１６】
本実施形態のガラス枠１０は、図１に示すように、ガラス枠上１２と、ガラス枠左１４と、ガラス枠右１６とを備え、前記図７に示した従来のものと同様に、これらはガラス枠本体（樹脂の大型部品）の補強のために、該本体にそれぞれ固定されている。又、ガラス枠右１６の下端部にはガラス枠ヒンジ下１８が、同上端部にはガラス枠ヒンジ上２０が固定され、ヒンジピン２２がガラス枠ユニット開閉のための回転軸の役割を果たしている。
【００１７】
本実施形態のガラス枠１０は、ガラス板Ｇａ、Ｇｂの前後左右の保持は、図２に示すように従来のものと同様に２組の溝部２４、２６にそれぞれガラス板を１枚ずつ挿入して狭持する方式である。但し、遊技者から見て奥側の後ガラスＧｂを保持するガラス枠左１４では、図３、図４に示されるように上端部近傍と下端部近傍を、約１５ｍｍ程度の所定長さに制限された溝部上２６Ａ、溝部下２６Ｂのみで支えている。図示は省略するが、ガラス枠右１６でも、同様に約１５ｍｍ程度の溝部上と溝部下のみで支えている。
【００１８】
一方、ガラス枠左１４及びガラス枠右１６には、それぞれガラス板の両側端部近傍の下端部に対応する位置に、該下端部を鉛直方向に支持するための受部材２８Ａ、２８Ｂがそれぞれ１５ｍｍ程度の所定長さで形成されている。
【００１９】
このように左右の受部材２８Ａ、２８Ｂが、両側端部近傍にそれぞれ対応する所定長さに制限されたガラス枠を用いることにより、遊技機にガラス板を装着する前に、前記図６に示した張出部１０６に液晶ユニット１０８や操作ボタンユニット１１０等の部品を裏側から取り付ける作業を、従来のように受部材１１６により邪魔されることなく、容易且つ確実に行なうことが可能となった。
【００２０】
又、後ガラスＧｂの前後左右の保持を、ガラス枠左１４とガラス枠右１６の上下両端部の近傍にそれぞれ対応して設けられた短い溝部上２６Ａ、溝部下２６Ｂにより行なうようにしたので、前ガラスＧａのみが装着された前記図１のＺ−Ｚ断面に相当する図５に示すように、後ガラスＧｂの上端部を溝部上２６Ａに（１）の矢印で示す斜め下方向から挿入し、同下端部を溝部下２６Ｂを越える高さまで持ち上げた後、（２）の矢印で示す下方向へ降ろすことにより簡単に装着できる。従って、ガラスの抜差しを、従来のように後ガラスＧｂの全体をガラス枠１０の上方まで持ち上げ、その下端部から溝部に挿入して行なう場合に比べ、大幅に労力を軽減し、且つ危険性を回避することが可能となった。
【００２１】
以上、本発明について具体的に説明したが、本発明は、前記実施形態に示したものに限られるものでなく、その要旨を逸脱しない範囲で種々変更可能である。
【００２２】
例えば、ガラス枠の具体的な形状や寸法は前記実施形態に示したものに限定されない。
【産業上の利用可能性】
【００２３】
以上説明したとおり、本発明によれば、遊技機下部に設けられた張出部に、裏側から部品を取り付ける作業を容易且つ確実に行なうことができるようになる。
【００２４】
従って、遊技者側に突出した張出部の内部に、液晶ユニットや操作ボタンユニット等の部品を配設する場合、ガラス板の下端部を支持する受部材を左右両端部の限られた範囲に制限するようにしたので、上記部品の取付作業がガラス枠を構成する受部材により邪魔されることが無くなるので、該張出部への該部品の取付が容易となる。
【００２５】
又、遊技者から見て奥側のガラスを支える溝部上及び溝部下をそれぞれ短い長さに制限するようにしたので、ガラスの抜差しを斜め下からも可能となり、ガラス板を上方まで持ち上げる必要がなくなるので、装着時の作業量を軽減できると共に、危険性を低減できるようになる。
【図面の簡単な説明】
【００２６】
【図１】本発明に係る実施形態の遊技機のガラス枠を示す概略正面図
【図２】ガラス板を装着した状態のガラス枠を示す概略平面図
【図３】ガラス板を装着した状態のガラス枠の一側端部近傍を示す部分斜視図
【図４】ガラス板を装着した状態のガラス枠の一側端部近傍の上部を拡大して示す部分斜視図
【図５】上記ガラス枠に対する後ガラスの装着方法を説明するための図１のＺ−Ｚ断面図
【図６】遊技機の概要を示す正面図、側面図及び背面図
【図７】遊技機のガラス枠本体の背面部を拡大して示す斜視図
【符号の説明】
【００２７】
１０…ガラス枠
１２…ガラス枠上
１４…ガラス枠左
１６…ガラス枠右
１８…ヒンジ下
２０…ヒンジ上
２４、２６…溝部
２６Ａ…溝部上
２６Ｂ…溝部下
２８Ａ、２８Ｂ…受部材
Ｇａ…前ガラス板
Ｇｂ…後ガラス板
【図１】
2005261755.tif 000003
【図２】
2005261755.tif 000004
【図３】
2005261755.tif 000005
【図４】
2005261755.tif 000006
【図５】
2005261755.tif 000007
【図６】
2005261755.tif 000008
【図７】
2005261755.tif 000009